(57)【要約】【課題】ジャイロなどの振動子を有したセンサと発振子とを個別の基板に実装することにより、発振子から発せられる振動が前記センサ内の振動子にノイズとして影響を与えてセンサが誤動作を起こすことがないような実装レイアウトを提案する。【解決手段】本発明の実装レイアウトは、振動子を有するセンサと発振子とを備え、前記センサは第一の電気配線基板に実装されており、前記発振子は前記第一の電気配線基板とは別の第二の電気配線基板に実装されていることを特徴とする。【選択図】図１
2007198785.tif 000002
【特許請求の範囲】
【請求項１】
振動子を有するセンサと発振子とを備え、前記センサは第一の電気配線基板に実装されており、前記発振子は前記第一の電気配線基板とは別の第二の電気配線基板に実装されていることを特徴とする電気機器。
【請求項２】
前記第一の電気配線基板か前記第二の電気配線基板の少なくともどちらか一方はフレキシブル基板であることを特徴とする請求項１に記載の電気機器。
【請求項３】
前記振動子を有するセンサはジャイロセンサであることを特徴とする請求項１又は２に記載の電気機器。
【請求項４】
前記発振子は超音波モータの駆動のためのインダクタであることを特徴とする請求項１ないし３のいずれか記載の電気機器。
【発明の詳細な説明】
【技術分野】
【０００１】
本発明はジャイロなどの振動子を用いたセンサと発振子を実装する際に、センサが誤動作を起こすことがないような実装レイアウトの技術に係る電気機器に関する。
【背景技術】
【０００２】
近年、ジャイロセンサ等を用い、カメラの手ブレ補正や、姿勢角度を検出する方式が検討されている。ジャイロセンサ等によって、それぞれ角速度を検出し、その情報を演算処理することによりブレ量、姿勢角度が検出される。
【０００３】
このジャイロセンサは振動子を有しており、それを高速で発振させているもので、センサ自体が回転運動するとコリオリ力により振動が変調されることを利用して角速度を検出している。
【０００４】
カメラ等においては小型化に伴い水晶振動子や超音波モータ駆動のためのインダクタなど、特定の周波数の振動を発生する発振子がジャイロセンサと相互に近接して実装されている。
【０００５】
このとき、この発振子の振動がジャイロセンサ内の振動子に干渉し、ノイズを発生する原因となっていた。
【０００６】
例えば、下記特許文献１の生成角度検出装置では、ジャイロセンサを同一のフレキシブル基板内に実装し、スリットを形成したり、ジャイロセンサで測定される被測定周波数帯域を調整することによりノイズを押さえている。
【特許文献１】特開平１１−２１１４８１号公報
【発明の開示】
【発明が解決しようとする課題】
【０００７】
しかし、上述の従来例の場合では、ジャイロセンサに近接する素子の振動数の組み合わせに制限があり、回路設計の自由度が失われてしまう。また、基板にスリットを設けることは実装面積の減少につながり、結果的に基板面積の拡大につながってしまう。さらに、同一基板上にジャイロセンサと発振子が実装されている状態ではジャイロセンサが発振子から受けるノイズを十分に抑えることはできない。
【０００８】
そこで、本発明は上記問題に鑑み、ジャイロセンサ等と発振子とを相互に近接して実装する際にノイズを低減し高精度にブレ量、姿勢角度を検出できるようなセンサと発振子の実装レイアウトの技術に係る電気機器を提供することを目的とする。
【課題を解決するための手段】
【０００９】
前記目的を達成するために、本発明の電気機器は以下（１）〜（４）に示すとおりのものとする。
【００１０】
（１）振動子を有するセンサと発振子とを備え、前記センサは第一の電気配線基板に実装されており、前記発振子は前記第一の電気配線基板とは別の第二の電気配線基板に実装されていることを特徴とする電気機器。
【００１１】
（２）前記（１）記載の電気機器であって、前記第一の電気配線基板か前記第二の電気配線基板の少なくともどちらか一方はフレキシブル基板であることを特徴とする電気機器。
【００１２】
（３）前記（１）または（２）記載の電気機器であって、前記振動子を有するセンサはジャイロセンサであることを特徴とする電気機器。
【００１３】
（４）前記（１）ないし（３）のいずれか記載の電気機器であって、前記発振子は超音波モータの駆動のためのインダクタであることを特徴とする電気機器。
【発明の効果】
【００１４】
請求項１の発明によれば、振動子を有するセンサと発振子とを備え、前記センサは第一の電気配線基板に実装されており、前記発振子は前記第一の電気配線基板とは別の第二の電気配線基板に配置したので、前記発振子が発する振動が直接基板を伝わって前記振動子を有するセンサにノイズとして影響を与えることがなくなった。
【００１５】
また、請求項２の発明によれば、請求項１に記載の発明で、前記第一の電気配線基板か前記第二の電気配線基板の少なくともどちらか一方はフレキシブル基板としたため、実装レイアウトに自由度を持たせることができた。
【００１６】
請求項３の発明によれば、請求項１又は２に記載の発明で、前記センサはジャイロセンサとしたため、ノイズの影響を低減し、高精度にブレ量や姿勢角度を検出することができるようになった。
【００１７】
また、請求項４の発明の実装レイアウトによれば、請求項１ないし３のいずれかに記載の発明で、前記発振子は超音波モータを駆動するためのインダクタとしたため、大型のインダクタをジャイロセンサ等と別基板に実装することにより、メインとなる基板の実装面積が広がり、より自由度の高い配置が可能となった。
【発明を実施するための最良の形態】
【００１８】
次に、添付図面を参照しながら本発明の実装レイアウトの実施の形態について説明する。
【実施例１】
【００１９】
まず最初に、本実施の形態の実装レイアウトの斜視図を図１に示す。１００はメイン基板であり、メイン基板１００には振動子を有するジャイロセンサ１０１が実装してある。また、メイン基板１００には第二の基板であるフレキシブル基板１０２が接続されており、前記フレキシブル基板１０２には超音波モータの駆動インダクタ１０３が実装してある。
【００２０】
次に本実施の形態の実装レイアウトを手ブレ補正電子カメラに搭載した時の図を図２に示す。図２において、カメラ６０１の前面には、撮影レンズ６０２が取り付けられる。撮影レンズ６０２の鏡筒内には、手ブレ補正光学系６０３が回動自在に配置される。この手ブレ補正光学系６０３は、２軸のコアレスモーター６０４，６０５の回転が伝達され、上下および左右に振動する。カメラ６０１側には、左右方向の手ブレ量を検出する手ブレ量検出センサ（ジャイロセンサ）６０６と、上下方向の手ブレ量を検出する手ブレ量検出センサ（ジャイロセンサ）６０７とが配置される。このような構成のカメラ６０１では、手ブレ量検出センサ６０６，６０７を用いてカメラ本体の振動が検出される。カメラ６０１は、検出された振動と逆方向にコアレスモーター６０４，６０５を駆動し、手ブレ補正光学系６０３の光軸を振動させる。その結果、撮影光軸の振動が打ち消され、手ブレが補正された良好な写真を撮影することが出来る。また、不図示の超音波モータによりレンズ鏡筒が駆動され、この超音波モータの駆動のための周波数の調整を前記駆動インダクタ１０３で行っている。
【００２１】
次に従来の形態の実装レイアウトを図３に示す。この時、前記超音波モータの駆動インダクタ１０３と前記角速度を検出するためのジャイロセンサ１０１はメイン基板１００上に互いに近接して実装されており、前記インダクタ１０３が発する振動がメイン基板１００上を伝わりジャイロセンサ１０１の振動子にノイズとして影響を与えるため、ブレ量を精度よく検出することができなくなるだけでなく、ブレ補正機能の誤作動にもつながる。
【００２２】
図１に示すよう、に本実施の形態の実装レイアウトではジャイロセンサ１０１に対して超音波モータの駆動インダクタ１０３は個別の基板（フレキシブル基板１０２）に実装されているため、インダクタ１０３の振動が基板上を伝わりジャイロセンサ１０１にノイズとして影響を与えることはなく、誤作動をなくして精度よくブレ量を検出することが可能となった。
【図面の簡単な説明】
【００２３】
【図１】本発明の実施形態の実装レイアウトの斜視図
【図２】本発明の実施形態の電子カメラの斜視図
【図３】従来の実装レイアウトの斜視図
【符号の説明】
【００２４】
１００  メイン基板
１０１  ジャイロセンサ
１０２  フレキシブル基板
１０３  超音波モータの駆動インダクタ
６０１  カメラ
６０２  撮影レンズ
６０３  手ブレ補正光学系
６０４，６０５  コアレスモーター
６０６，６０７  手ブレ量検出センサ（ジャイロセンサ）
【図２】
2007198785.tif 000003
【図１】
2007198785.tif 000004
【図３】
2007198785.tif 000005